(57)【要約】【課題】車種を選ぶことなく運転席から手の届く範囲に置くことが可能で、しかも、必要なときにティッシュペーパーを片手ですぐに取り出すことが可能なティッシュペーパー包装体を提供する。【解決手段】包装用袋体１６は、ティッシュペーパー積層体１２および保形用台紙１４の一体物が収容され、その外径がドリンクホルダＡの飲料容器収容部Ｂの内径よりも小さく設定されている筒状の本体部１６ａと、本体部１６ａの上端から延設され、正面から見たときに先端に向かうにしたがって細径となっており、その左右両方の側縁１６ｃ，１６ｄおよび先端縁部１６ｅが封止されている取出部１６ｂとを有し、取出部１６ｂには、左右方向に延びるミシン目１６ｆが先端縁部１６ｅの下方に形成されていることを特徴とする。【選択図】図６
2018127246.tif 000002
【特許請求の範囲】
【請求項１】
複数のティッシュペーパーをそれぞれ半分に折り畳み、これらを交互に挟み込んで重ね合わせることによって形成されたティッシュペーパー積層体と、前記ティッシュペーパー積層体の周囲を囲繞して円筒状となる保形用台紙と、前記ティッシュペーパー積層体および前記保形用台紙とを収容する包装用袋体とからなるティッシュペーパー包装体であって、
前記包装用袋体は、
前記ティッシュペーパー積層体および前記保形用台紙の一体物が収容され、その外径がドリンクホルダの飲料容器収容部の内径よりも小さく設定されている筒状の本体部と、前記本体部の上端から延設され、正面から見たときに先端に向かうにしたがって細径となっており、その左右両方の側縁および先端縁部が封止されている取出部とを有し、
前記取出部には、左右方向に延びるミシン目が前記先端縁部の下方に形成されていることを特徴とするティッシュペーパー包装体である。
【請求項２】
前記保形用台紙の表面には、広告が印刷されていることを特徴とする請求項１に記載のティッシュペーパー包装体。
【請求項３】
前記包装用袋体の表面には、広告が印刷されていることを特徴とする請求項１または２に記載のティッシュペーパー包装体。
【請求項４】
前記取出部の左右両方の側縁が凸円弧状に形成されていることを特徴とする請求項１から３のいずれかに記載のティッシュペーパー包装体。
【発明の詳細な説明】
【技術分野】
【０００１】
本発明は、ドリンクホルダに収容して使用することが可能で、ティッシュペーパーを簡単に取り出すことができるティッシュペーパー包装体に関する。
【背景技術】
【０００２】
日用品であるティッシュペーパーは、日常生活のあらゆる場面で使用され、自動車の車室内においても日常的に利用されている。
【０００３】
ティッシュペーパーは、大きな紙製の箱に入れられた、いわゆる「ボックスティッシュ」と呼ばれるものとして販売されているのが一般的であるが、狭い車室内、特に計器類がたくさん置かれた運転席周りには、このような大きなボックスティッシュを置くことができるほどのスペースはない。
【０００４】
そこで、従来は、例えば肘掛のような運転の邪魔にならず、かつ、運転手の手の届く場所にボックスティッシュを取り付けることが一般に行われていた（特許文献１参照）。
【先行技術文献】
【特許文献】
【０００５】
【特許文献１】特開２０１０−０５８８４１号公報（図４）
【発明の概要】
【発明が解決しようとする課題】
【０００６】
肘掛のような運転の邪魔にならず、かつ、運転手の手の届く場所にボックスティッシュを取り付けておけば、同乗者が居なくても必要なときにすぐにティッシュペーパーを取り出すことが可能であるが、肘掛のない車種には適用することができないという問題がある。
【０００７】
このような場合には、誰も座っていない助手席にボックスティッシュを置くことになるが、助手席に置かれたボックスティッシュは運転席から遠く離れており、運転手の手が届きにくい。
【０００８】
したがって、ティッシュペーパーを取り出すためには身体を助手席側に向けて手を大きく伸ばす必要があり、必要なときにいつでもティッシュペーパーを取ることができないという問題がある。
【０００９】
もちろん、ポケットティッシュのように小さなものであれば、運転手の手の届く範囲に置いておくことも可能であるが、ポケットティッシュは、ティッシュペーパーを取り出すために両手を使う必要があり、必要なときにすぐに取り出すことができないという別の問題がある。
【００１０】
本願発明は、かかる従来の問題点に鑑みてなされたもので、車種を選ぶことなく運転席から手の届く範囲に置くことが可能で、しかも、必要なときにティッシュペーパーを片手ですぐに取り出すことが可能なティッシュペーパー包装体を提供することにある。
【課題を解決するための手段】
【００１１】
請求項１に記載した発明は、「複数のティッシュペーパー１８（１８ａ，１８ｂ，１８ｃ…）をそれぞれ半分に折り畳み、これらを交互に挟み込んで重ね合わせることによって形成されたティッシュペーパー積層体１２と、ティッシュペーパー積層体１２の周囲を囲繞して円筒状となる保形用台紙１４と、ティッシュペーパー積層体１２および保形用台紙１４の一体物を収容する包装用袋体１６，１６’とからなるティッシュペーパー包装体１０，１０’であって、包装用袋体１６，１６’は、ティッシュペーパー積層体１２および保形用台紙１４の一体物が収容され、その外径がドリンクホルダＡの飲料容器収容部Ｂの内径よりも小さく設定されている筒状の本体部１６ａ，１６ａ’と、本体部１６ａ，１６ａ’の上端から延設され、正面から見たときに先端に向かうにしたがって細径となっており、その左右両方の側縁１６ｃ，１６ｄ，１６ｃ’，１６ｄ’および先端縁部１６ｅ，１６ｅ’が封止されている取出部１６ｂ，１６ｂ’とを有し、取出部１６ｂ，１６ｂ’には、左右方向に延びるミシン目１６ｆ，１６ｆ’が先端縁部１６ｅ，１６ｅ’の下方に形成されている」ことを特徴とするティッシュペーパー包装体１０，１０’である。
【００１２】
請求項２に記載した発明は、「保形用台紙１４の表面には、広告が印刷されている」ことを特徴とする。
【００１３】
請求項３に記載した発明は、「包装用袋体１６，１６’の表面には、広告が印刷されている」ことを特徴とする。
【００１４】
請求項４に記載した発明は、「取出部１６ｂ’の左右両方の側縁１６ｃ’，１６ｄ’が凸円弧状に形成されている」ことを特徴とする。
【発明の効果】
【００１５】
請求項１に記載のティッシュペーパー包装体１０，１０’によれば、包装用袋体１６，１６’の本体部１６ａ，１６ａ’の外径がドリンクホルダＡの飲料容器収容部Ｂの内径よりも小さく設定されているので、ティッシュペーパー包装体１０，１０’をドリンクホルダＡに収容して使用することが可能である。ここで、運転席付近には、通常既設のドリンクホルダＡが設けられているので、あるいは、後付けのドリンクホルダＡを設置することができるので、車種を選ぶことなく運転席から手の届く範囲にティッシュペーパー包装体１０，１０’を置くことができる。
【００１６】
ティッシュペーパー包装体１０，１０’を使用する際には、包装用袋体１６，１６’の取出部１６ｂ，１６ｂ’の先端部分をミシン目１６ｆ，１６ｆ’に沿って切り取り、これにより現れた開口部であるティッシュペーパー取出口２２から中のティッシュペーパー１８を取り出すことになる。
【００１７】
ここで、包装用袋体１６，１６’の取出部１６ｂ，１６ｂ’は、本体部１６ａ，１６ａ’から繋がる下端部分が保形用台紙１４によって円筒状に拡げられており、左右両方の側縁１６ｃ，１６ｄ，１６ｃ’，１６ｄ’が封止されていることとも相俟ってティッシュペーパー取出口２２を平面から見たときには各辺が凹湾曲した菱形形状となる。そして、この凹湾曲した菱形形状のティッシュペーパー取出口２２が、ティッシュペーパー取出口２２を通過するティッシュペーパー１８を適度に保持できるので、片手でティッシュペーパー１８を１枚ずつ簡単に取り出すことができるようになる。
【００１８】
なお、請求項２に記載の発明のように保形用台紙１４の表面に広告を印刷したり、請求項３に記載の発明のように包装用袋体１６，１６’の表面に広告を印刷すれば、ティッシュペーパー包装体１０，１０’を販売促進用グッズとして利用することが可能となる。
【００１９】
また、請求項４に記載の発明のように取出部１６ｂ’の左右両方の側縁１６ｃ’，１６ｄ’が凸円弧状に形成されている場合には、本体部１６ａ’内にティッシュペーパー積層体１２と保形用台紙１４との一体物が収容された状態（包装用袋体１６’が膨らんだ状態）において、側縁１６ｃ’，１６ｄ’部分が自然な丸みを持つこととなるので、ティッシュペーパー包装体１０’を正面から見たときの意匠性をより高めることができる。
【図面の簡単な説明】
【００２０】
【図１】この発明にかかるティッシュペーパー包装体を示す斜視図である。
【図２】ティッシュペーパー積層体を示す図である。
【図３】ティッシュペーパー積層体の作り方を示す説明図である。
【図４】包装用袋体を示す図である。
【図５】包装用袋体の作り方を示す説明図である。
【図６】使用状態を示す図である。
【図７】包装用袋体の他の例を示す図である。
【図８】図７実施例の包装用袋体を用いた使用状態を示す図である。
【発明を実施するための形態】
【００２１】
以下、本発明を図面に従って説明する。図１は、本発明にかかるティッシュペーパー包装体１０を示す斜視図である。
【００２２】
この図が示すように、本発明のティッシュペーパー包装体１０は、ティッシュペーパー積層体１２、保形用台紙１４および包装用袋体１６により大略構成されている。
【００２３】
ティッシュペーパー積層体１２は、複数枚のティッシュペーパー１８（１８ａ，１８ｂ，１８ｃ…）を重ね合わせて積層したものを半分に折り曲げたもので、各ティッシュペーパー１８（１８ａ，１８ｂ，１８ｃ…）は、本実施例では、縦が１０５ｍｍ、横が２００ｍｍ（通常のティッシュペーパーの約半分）の大きさの長方形状のものが使用されている。
【００２４】
ティッシュペーパー積層体１２を形成する際には、図３（Ａ）に示すように、第１のティッシュペーパー１８ａを広げ、その長辺方向右側半分に第２のティッシュペーパー１８ｂの長辺方向左側半分を重ね合わせ、第１のティッシュペーパー１８ａの長辺方向左側半分が第２のティッシュペーパー１８ｂの長辺方向左側半分の上に重なるように第１のティッシュペーパー１８ａを折り畳む。
【００２５】
次に、図３（Ｂ）に示すように、折り畳まれた第１のティッシュペーパー１８ａの上に第３のティッシュペーパー１８ｃの長辺方向右側半分を重ね合わせるとともに、第２のティッシュペーパー１８ｂの長辺方向右側半分が第３のティッシュペーパー１８ｃの長辺方向右側半分の上に重なるように第２のティッシュペーパー１８ｂを折り畳む。
【００２６】
このように、複数枚のティッシュペーパー１８（１８ａ，１８ｂ，１８ｃ…）をそれぞれ半分に折り畳み、これらを交互に挟み込んで重ね合わせることによってティッシュペーパー積層体１２が形成される。
【００２７】
保形用台紙１４は、ティッシュペーパー積層体１２の周囲を囲繞して、これを保形するためのものであり、ティッシュペーパー１８よりも一回り大きく（本実施例では、縦が１１０ｍｍ、横が２１０ｍｍの長方形に設定されている）設定された可撓性を有する矩形薄板状の部材として形成されている。
【００２８】
保形用台紙１４の材質としては、可撓性とある程度の剛性とを併有するものであればどのようなものでもよく、本実施例では厚紙が用いられている。
【００２９】
保形用台紙１４の表面は、広告用スペースとして利用することが可能であり、本実施例では、車検用の広告が印刷されている。
【００３０】
包装用袋体１６は、下端部が開口し、上端部が閉じられた合成樹脂製の袋体であり、図４に示すように、本体部１６ａと取出部１６ｂとを有する。
【００３１】
本体部１６ａは、下端部が開口した円筒状部分で、ドリンクホルダＡに収容できるよう、その外径は飲料容器収容部Ｂの内径よりも小さめに設定されている。
【００３２】
本体部１６ａの上端部は、ティッシュペーパー積層体１２および保形用台紙１４が挿入されている状態では、ほんの僅かに外方へ広がっており、その僅かに外方へ広がった上端部から取出部１６ｂが連続して延設されている。
【００３３】
取出部１６ｂは、正面から見たときに先端に向かうにしたがって細径となるよう、その左右両方の側縁１６ｃ，１６ｄがテーパ状に形成されており、このテーパ状の側縁１６ｃ，１６ｄおよび先端縁部１６ｅが熱圧着により封止されて閉じられている。
【００３４】
取出部１６ｂの上端部には、左右方向に延びるミシン目１６ｆが、上記先端縁部１６ｅを避けて（先端縁部１６ｅの下方に）形成されている。
【００３５】
包装用袋体１６を作る際には、インフレーション成形品の原反を用意し、これを所定長さに切断する。そして、図５に示すように、上端部の左右両側を先細りのテーパ状となるように切除するとともに（図５の二点鎖線で示した部分）、テーパ状の側縁１６ｃ，１６ｄと先端縁部１６ｅを熱圧着して封止する。図５の網掛部分は、熱圧着による封止部分（封止部１６ｇ）を示している。なお、上述した切断工程と熱圧着による封止工程は、金型を用いた打ち抜き加工によって同時に行うことが可能である。
【００３６】
そして、このようにして形成された袋体を膨らませることにより、図４に示すような下端が開口し、上端部が閉じられた包装用袋体１６ができあがる。
【００３７】
なお、図示しないが、包装用袋体１６の表面を広告用スペースとして利用することも可能であり、各種広告を印刷することができる。
【００３８】
ティッシュペーパー包装体１０を形成するには、まず、ティッシュペーパー積層体１２を半分に二つ折りにする（図２参照）。このときの折り目は、各ティッシュペーパー１８を折り畳んだときの折り目と平行な方向に一致する。
【００３９】
この二つ折りにしたティッシュペーパー積層体１２を、折り目が縦方向となるように向きを変えるとともに、その外周を保形用台紙１４で囲繞し、ティッシュペーパー積層体１２と保形用台紙１４との一体物を包装用袋体１６の下側開口部から挿入する。このとき、包装用袋体１６の本体部１６ａは、保形用台紙１４の弾発力によって内側から押し広げられて円筒状に保持されている。そして、包装用袋体１６の底部を折り畳み、折り畳んだ端部を粘着テープ２０で封止する。これにより、ティッシュペーパー包装体１０が完成する。
【００４０】
ティッシュペーパー包装体１０は、包装用袋体１６の本体部１６ａの外径がドリンクホルダＡの飲料容器収容部Ｂの内径よりも小さく設定されているので、ティッシュペーパー包装体１０をドリンクホルダＡに収容して使用することが可能である。
【００４１】
ここで、運転席付近には、通常、既設のドリンクホルダＡが設けられているので、あるいは、図６に示すように後付けのドリンクホルダＡを設置することができるので、車種を選ぶことなく運転席から手の届く範囲にティッシュペーパー包装体１０を置くことができる。
【００４２】
ティッシュペーパー包装体１０を使用する際には、包装用袋体１６の封止されている先端縁部１６ｅをミシン目１６ｆに沿って切り取る。これにより、包装用袋体１６の上端部が開口する（この上端開口部がティッシュペーパー取出口２２である）。
【００４３】
ここで、包装用袋体１６の本体部１６ａは、上述したように、その内部にティッシュペーパー積層体１２と保形用台紙１４との一体物が挿入されており、保形用台紙１４の弾発力によって内側から押し広げられて円筒状に保持されている。
【００４４】
一方、取出部１６ｂは、本体部１６ａと連続する下端部が円筒状に保形されており、正面から見たときには、先端（上端）に向かうにしたがって細径となっており、左右両側の側縁１６ｃ，１６ｄが封止されているので、ティッシュペーパー取出口２２を平面から見たときには、各辺が凹湾曲した菱形形状となっている（図６参照）。
【００４５】
このような各辺が凹湾曲した菱形形状となっているティッシュペーパー取出口２２からティッシュペーパー１８を一枚ずつ引き出すのであるが、１枚目のティッシュペーパー１８を引き出すと、これと重ね合わされている２枚目のティッシュペーパー１８も一緒にティッシュペーパー取出口２２から引き出される。このとき、各辺が凹湾曲した菱形形状のティッシュペーパー取出口２２は、外側にある１枚目のティッシュペーパー１８を適度に保持している。
【００４６】
そして、１枚目のティッシュペーパー１８をティッシュペーパー取出口２２から完全に引き出すと、各辺が凹湾曲した菱形形状のティッシュペーパー取出口２２は、その内側にある２枚目のティッシュペーパー１８を外から適度に保持する。このティッシュペーパー取出口２２の保持力によって２枚目のティッシュペーパー１８は、包装用袋体１６内に引きとどめられ、その先端部分だけがティッシュペーパー取出口２２から覗いた状態となる。
【００４７】
このように、ティッシュペーパー取出口２２からティッシュペーパー１８を１枚ずつ引き出すと、次に控えているティッシュペーパー１８の先端がティッシュペーパー取出口２２に現れるので、必要なときにティッシュペーパー１８を片手で簡単に１枚ずつ連続して取り出すことができるようになる。
【００４８】
本実施例のティッシュペーパー包装体１０によれば、ドリンクホルダＡに収容できるサイズにて形成されているので場所をとらず、また、既設・後付のいずれのタイプであっても収容することができるので、車種を選ぶことなく、運転席から手の届くところにティッシュペーパー包装体１０を設置することができる。
【００４９】
また、保形用台紙１４の表面には広告が印刷されているので、ティッシュペーパー包装体１０を販売促進用グッズとして利用することが可能となる。
【００５０】
なお、上述実施例では、広告が保形用台紙１４にのみ印刷されていたが、包装用袋体１６に印刷してもよいし、保形用台紙１４と包装用袋体１６の両方に広告を印刷するようにしてもよい。
【００５１】
図７は、包装袋体１６’の他の例で、図４実施例と同様、本体部１６ａ’と取出部１６ｂ’とを有する。
【００５２】
本体部１６ａ’は、下端部が開口した円筒状部分で、この本体部１６ａ’の上端部から取出部１６ｂ’が連続して延設されている。取出部１６ｂ’は、正面から見たときに先端に向かうにしたがって細径となるよう、その左右両方の側縁１６ｃ’，１６ｄ’が凸円弧状に形成されており、この凸円弧状の側縁１６ｃ’，１６ｄ’および先端縁部１６ｅ’（中央部分が上方に突出して形成されている）が熱圧着により封止されて閉じられている（網掛部分が封止部１６ｇ’である）。取出部１６ｂ’の上端部には、左右方向に延びるミシン目１６ｆ’が、先端縁部１６ｅ’を避けて（先端縁部１６ｅ’の下方に）形成されている。
【００５３】
本実施例の包装袋体１６’では、左右両方の側縁１６ｃ’，１６ｄ’が凸円弧状に形成されているので、図８に示すように、本体部１６ａ’内にティッシュペーパー積層体１２と保形用台紙１４との一体物が収容された状態（包装用袋体１６’が膨らんだ状態）において側縁１６ｃ’，１６ｄ’部分が自然な丸みを持つこととなる。したがって、ティッシュペーパー包装体１０’を正面から見たときの意匠性がより高められる。
【００５４】
また、先端縁部１６ｅ’の中央部分が上方に突出しているので、先端縁部１６ｅ’をミシン目１６ｆ’で切り取る際の作業性が大いに高められる。
【符号の説明】
【００５５】
１０，１０’：ティッシュペーパー包装体、１２：ティッシュペーパー積層体、１４：保形用台紙、１６，１６’：包装用袋体、１６ａ，１６ａ’：本体部、１６ｂ，１６ｂ’：取出部、１６ｃ，１６ｃ’：側縁、１６ｄ，１６ｄ’：側縁、１６ｅ，１６ｅ’：先端部分、１６ｆ，１６ｆ’：ミシン目、１６ｇ，１６ｇ’：封止部、１８：ティッシュペーパー、１８ａ：第１のティッシュペーパー、１８ｂ：第２のティッシュペーパー、１８ｃ：第３のティッシュペーパー、２０：粘着テープ、２２：ティッシュペーパー取出口、Ａ：ドリンクホルダ、Ｂ：飲料容器収容部、Ｘ：エアコン吹出口
【図１】
2018127246.tif 000003
【図２】
2018127246.tif 000004
【図３】
2018127246.tif 000005
【図４】
2018127246.tif 000006
【図５】
2018127246.tif 000007
【図６】
2018127246.tif 000008
【図７】
2018127246.tif 000009
【図８】
2018127246.tif 000010